(57)【要約】【課題】  会議映像を記録するとともに、記録した映像を議事録のように、重要個所のみを抽出して視聴できる議事録作成支援機能を有するテレビ会議システムを提供する。【解決手段】  本発明の議事録作成支援機能を有するテレビ会議システムは、会議において撮影された映像から会議における重要部分を検出するインデックス検出手段１５と、前記インデックス検出手段１５により検出されたインデックス情報に基づいて議事録ファイル４０の作成を行う議事録作成手段と、前記議事録作成手段により作成された議事録ファイルから会議の重要部分が撮影された部分を前記撮影映像より出力する会議映像出力手段とを有する議事録作成機能を有し、重要部分をインデックス情報として検出できるようにした。【選択図】図１
2005341015.tif 000002
【特許請求の範囲】
【請求項１】
通信ネットワークを介して行われるテレビ会議における議事録を作成するための議事録作成支援機能を有するテレビ会議システムにおいて、
前記会議において撮影された映像から会議における重要部分をインデックス情報として検出するインデックス検出手段と、
前記インデックス検出手段により検出されたインデックス情報に基づいて議事録ファイルの作成を行う議事録作成手段と、
前記議事録作成手段により作成された議事録ファイルから会議の重要部分が撮影された部分を前記撮影映像から出力する会議映像出力手段とを有する議事録作成機能とを有することを特徴とする議事録作成支援機能を有するテレビ会議システム。
【請求項２】
前記インデックス検出手段は、特定の発言キーワードを検出しインデックス挿入メッセージを出力する音声認識部と、前記特定のキーワードが格納されているキーワードデータとを備えたことを特徴とする請求項１記載の議事録作成支援機能を有するテレビ会議システム。
【請求項３】
前記インデックス検出手段は、参照している会議資料の切り替えを検出し、インデックス挿入メッセージを出力する切り替え検知部を備えたことを特徴とする請求項１又は請求項２に記載の議事録作成支援機能を有するテレビ会議システム。
【請求項４】
前記インデックス検出手段は、テレビ会議端末より入力された文字情報より特定の文字列を検出しインデックス挿入メッセージを出力するテキスト検出部を備えたことを特徴とする請求項１乃至請求項３何れかに記載の議事録作成支援機能を有するテレビ会議システム。
【請求項５】
前記インデックス検出手段は、声紋情報の照合によって特定の話者を識別する話者認識部を備えたことを特徴とする請求項１乃至請求項４何れかに記載の議事録作成支援機能を有するテレビ会議システム。
【請求項６】
前記インデックス検出手段は、ステレオマイクの左右音声の位相差とマッピングされた座席情報に基づいて発言者の位置を算出する話者位置特定部を備えたことを特徴とする請求項１乃至請求項５何れかに記載の議事録作成支援機能を有するテレビ会議システム。
【請求項７】
請求項３におけるインデックス検出手段において、司会者の発言を識別する話者認識部と、議事進行を示す語句を検知しインデックス挿入メッセージを出力する音声認識部とを備え、司会者の議事録進行を記録できることを特徴とする議事録作成支援機能を有するテレビ会議システム。
【発明の詳細な説明】
【技術分野】
【０００１】
本発明は、会議映像から議事録の作成を行うテレビ会議システムにおいて、特に会議映像のインデックスを作成することにより、議事録の作成・編集を容易にすることができる議事録作成支援機能を有するテレビ会議システムに関する。
【背景技術】
【０００２】
従来におけるテレビ会議システムにおける議事録の作成は、会議を視聴した議事録作成者が会議出席者の発言内容を書き留めておき、その会議終了後に書き留めておいた内容に基づき議事録が作成されている。そして、議事録作成後、作成された議事録の正確性を期すため、議事録に記載された発言内容の確認作業が行われている。つまり、議事録の作成については、通常の会議の場合と同様に手作業で作成されているのが一般的であった。
【０００３】
このような議事録作成の手間を省くため、テレビ会議の特性を生かした議事録作成システムが提案されている。例えば、特開平１０−２９４７９８号公報に記載の発明では、会議における発言内容を音声情報として取得して音声情報処理を行い、その音声情報処理が施された情報に基づいて議事録を作成し、この議事録に発言者のデジタル透かしが埋め込まれたものを画像データとするものが提案されている。
【０００４】
また特開平１１−６９３３１号公報に記載の発明では、ＤＶＤ−ＲＡＭに会議内容を要約せずにそのままの形で記録した後、その会議録を記録者が各自のキーワードで編集して議事録を作成し、映像の配布および閲覧を可能とするものが提案されている。
【０００５】
更に、特開２０００−３３３１５０号公報に示されている発明では、会議映像を録画するとともに、話者の情報を保持することで、話者注釈つきの映像を再生できるものがそれぞれ提案されている。
【特許文献１】特開平１０−２９４７９８号公報
【特許文献２】特開平１１−６９３３１号公報
【特許文献３】特開２０００−３３３１５０号公報
【発明の開示】
【発明が解決しようとする課題】
【０００６】
上述のテレビ会議の特性を生かした議事録作成システムでの議事録の作成は、撮影された会議内容の映像を編集することで議事録を作成させることができるため、会議中に発言内容を書き留める作業や、会議終了後に行われる発言内容の確認といった作業を行うことなく、正確な議事録を作成することができるという利点がある。
【０００７】
しかし、会議中は垂れ流し的に映像の記録を行い、会議終了後に撮影した映像から任意の発言を検索・抽出し、その発言箇所を纏めるなどの議事録作成・編集の作業が必要となるという不具合があった。
【０００８】
本発明の目的は、会議映像を撮影すると同時に編集作業が行われ、文字ベースの議事録と同じように、重要な発言内容をキーワードとして頭だしができるようにすることで、記録映像をより議事録らしく用いることができるテレビ会議システムを提供することにある。
【課題を解決するための手段】
【０００９】
上記目的を達成するため本発明の議事録作成支援機能を有するテレビ会議システムでは、会議において撮影された映像から会議における重要部分を検出するインデックス検出手段と、前記インデックス検出手段により検出されたインデックス情報に基づいて議事録ファイルの作成を行う議事録作成手段と、前記議事録作成手段により作成された議事録ファイルから会議の重要部分が撮影された部分を前記撮影映像より出力する会議映像出力手段とを有する議事録作成機能を有し、前記インデックス検出手段としては、特定の発言キーワードを検出しインデックス挿入メッセージを出力する音声認識部と、参照している会議資料の切り替えを検出してインデックス挿入メッセージを出力する切り替え検知部と、テレビ会議端末より入力された文字情報より特定の文字列を検出してインデックス挿入メッセージを出力するテキスト検出部と、声紋情報の照合によって特定の話者を識別する話者認識部と、ステレオマイクの左右音声の位相差とマッピングされた座席情報に基づいて発言者の位置を算出する話者位置特定部とを備え、重要部分をインデックス情報として検出できるようにした。
【発明の効果】
【００１０】
本発明の議事録作成支援機能を有するテレビ会議システムによれば、重要発言など議事録に掲載される発言をインデックス情報として検出し、それを会議進行と同時に議事録ファイルに挿入することにより、簡易な議事録を自動的に作成することができる。
【００１１】
また、本発明によれば、議事録作成後に議事録の編集が必要となったときにおいても、簡易に編集作業を行うことができる。
【００１２】
また、本発明によれば、撮影された会議映像の重要発言等のみを頭だし再生することが可能となり、文書で議事録の作成を要求された場合においても、会議の重要部分はインデックス情報として抽出されているため、市販の文字変換ソフト等を使用することにより、容易に文書による議事録の作成を行うことができる。
【００１３】
また、本発明によれば、テレビ会議映像及び音声による議事録を作成するため、発言者とその発言内容が明確になり、その発言内容の確認の手間を省略することができ、また発言者は発言内容を否定できなくなる。
【００１４】
また、インデックス情報と会議映像を別々に編集することにより、例えば会議全体の流れを知りたい場合や会議内容の要点のみを知りたい場合などその用途に応じた会議映像の閲覧を行うことができる。
【００１５】
また、会議参加者の発言のみならず、テキスト文章を入力したときや会議資料の切り替えを行ったとき、司会者など会議の中心となる者の発言があったとき等にインデックス情報の検出が行えるため、会議の流れ及び会議における要点部分を漏れなく議事録ファイルに挿入することができる。
【００１６】
また本発明によれば、複数人が１台のテレビ会議端末を使用する場合や、一箇所で開催される会議を視聴させる場合においてもステレオマイクによるインデックス情報の検出を行うことができ、簡易議事録の作成を行うことができる。
【発明を実施するための最良の形態】
【００１７】
以下、本発明の一実施形態に係る議事録作成機能を有するテレビ会議システムについて、図１から図４を参照して詳細に説明する。図１は、本実施形態に係る議事録作成機能を有するテレビ会議システムの全体の構成を示す図であり、図２は、本実施形態におけるキーワードデータベースの構成を示した構成図であり、図３は、本実施形態におけるテレビ会議システムにおけるテレビ会議端末に表示される画面の構成を示す図であり、図４は、本実施形態における議事録作成サーバの構成を示す図であり、図５は、本実施形態により作成される議事録ファイルの一例を示す説明図である。
【００１８】
まず、議事録作成機能を有するテレビ会議システムの全体の構成について、図１を参照して説明する。本システムは、テレビ会議システムのサービスを提供するテレビ会議サーバ１０と、議事録作成サーバ３０と、テレビ会議参加者を撮影するカメラとテレビ会議映像を表示する表示装置５１を備えた複数のテレビ会議端末５０と、記録されたテレビ会議映像と資料として使用するテキストファイルを表示する表示装置を備えた会議視聴端末６０とを備える。
【００１９】
また本システムは、テレビ会議サーバ１０及び議事録作成サーバ３０とテレビ会議端末５０及び会議視聴端末６０とが、ネットワーク回線７０を介して接続されている。尚、本実施形態ではテレビ会議端末５０を３台とし、また会議視聴端末６０を１台とした例を図示しているが、これらの端末の台数は本実施形態に限定されるものではない。
【００２０】
テレビ会議サーバ１０は、会議の進行時間や会議参加者の情報等を管理するテレビ会議管理手段１１と、各テレビ会議端末５０より送られてくる映像や音声をミキシングする多重化手段１２と、会議などで使用する資料ファイル等を各テレビ会議端末５０から自由に参照できるようにするデータ共有手段１３と、テレビ会議端末５０間のテキスト通信を可能にするテキスト通信手段１４と、会議参加者の音声認識やキーワードの検出等、後述するインデックスを挿入するためのインデックス情報を検出する機能を備えたインデックス検出手段１５と、各手段を制御する制御手段１６とを備え、各会議参加者の情報などを格納する参加者情報データベース１７と、インデックス情報を抽出する際のキーワードを格納するキーワードデータベース１８とに接続されている。
【００２１】
前記テレビ会議管理手段１１は、会議の日時・会議の議題・参加者名等の会議情報や会議の進行時間を測定するタイムコード測定情報の他、会議参加者が使用するテレビ会議端末５０の端末情報や会議開始前に予め取得しておいた会議参加者及び司会者の声紋情報等の話者を特定する情報などの管理が行なわれる。また、これらの情報は参加者情報データベース１７から制御手段１６などの指示に応じて抽出される。
【００２２】
前記インデックス検出手段１５は、会議参加者の発言内容を音声情報として認識し、所定のキーワードを検出する音声認識部と、テキスト通信手段１４により通信されるテキスト通信において表示される文字情報より所定のキーワードを検出するテキスト検出部と、会議資料の切り替えなど、表示画面の切り替えを検知する切り替え検知部と、会議参加者の声紋情報が格納されている声紋データベースに基づき、話者を特定する話者認識部と、複数の会議参加者が１台のテレビ会議端末５０を使用する場合において、会議参加者とその座席位置をマッピングした座席情報が格納されている座席データベースと、話者の音源位置情報から複数人が参加する会議室内で話者を特定する話者位置認識部とを備える。尚、これらインデックス検出手段１５の音声認識部等はコンピュータシステムのソフト上で構成されるため図示を省略しているが、ハード的に構成しても良い。
【００２３】
前記キーワードデータベース１８は、インデックス検出手段１５においてキーワード検出を行うための重要発言となるキーワードが格納されており、図２に示す如く、例えば「決定稿として」「それでは」といった結論を導く際に用いられる接続詞や議事進行語句が格納される一般キーワード欄１８ａと、例えば「他社製品」「製品仕様」「最終案は」といった会議の議題ごとに異なるキーワードが格納される会議キーワード欄１８ｂとを備える。この会議キーワード欄１８ｂは、会議の議題ごとに異なるキーワードを格納し、この議題内容に応じたキーワードの検出を可能としている。例えば、会議の対象となる「製品名」「技術名」等を設定するのが望ましい。
【００２４】
図３は会議参加者が３名の場合に会議参加者Ａの表示装置５１の表示画面に表示される映像を一例として示したものである。この図３を示しつつ、図１に示すテレビ会議サーバ１０の各構成要素を説明する。
【００２５】
表示装置５１の表示画面には、図３に示す如く、多重化手段１２によってミキシングされた会議参加者Ａ自身の映像を含む複数の会議参加者の映像が表示される会議参加者表示領域５１ａと、データ共有手段４により各会議参加者が自由に参酌することができる会議資料ファイルが表示される会議資料ファイル表示領域５１ｂと、テキスト通信手段１４により各会議参加者間で行われるテキスト通信内容が表示されるテキスト通信表示領域５１ｃとを備える。
【００２６】
図４は、議事録作成サーバ３０の構成及び動作を説明するための図である。以下に議事録作成サーバ３０の構成及び動作について、図４を参照して説明する。議事録作成サーバ３０は、テレビ会議サーバ１０より送信されたデータを受信する受信部３１と、受信されたデータの種類を判定する判定処理部３２と、多重化手段１２でミキシングした会議映像の記録及び議事録の作成を行う記録部３３と、会議視聴端末６０からの要求により記録された議事録や会議映像を検索・出力してその会議視聴端末６０に会議映像を配信する配信部３４と、作成した議事録を格納する議事録データベース３５と、記録した会議映像を格納する会議映像データベース３６とを備える。
【００２７】
前記記録部３３は、テレビ会議サーバ１０の多重化手段１２でミキシングした会議映像を取得して、会議映像データベース３６に格納する映像記録部３３ａと、テレビ会議サーバ１０のインデックス検出手段１５により検出されたインデックス情報を取得して、議事録ファイル４０の作成を行う議事録ファイル作成部３３ｂと、作成した議事録ファイル４０を編集して議事録ファイル４０の書換を行う議事録編集部３３ｃとを備える。
【００２８】
また前記配信部３４は、判定処理部３２の指示に基づき議事録データベース３５に格納されている議事録ファイルを検索し、出力するファイル読込み部３４ａと、判定処理部３２の指示に基づき会議映像データベース３６に格納されている所望の会議映像を検索し、出力を行う映像出力部３４ｂと、各データベースより出力したデータを所望の会議視聴端末６０に送信するデータ送信部３４ｃとを備える。
【００２９】
次に、議事録作成サーバ３０の議事録ファイル作成部３３ｂで作成される議事録ファイル４０の構成について、図５を参照して説明する。議事録ファイル４０は、会議名称，会議参加者，会議開始日時等の会議情報４１と、音声や画像の頭だしを行うためのインデックス情報４２とを備える。
【００３０】
このインデックス情報４２は、インデックス検出手段１５で検出されたインデックス情報が格納されており、音声認識部やテキスト検出部で検出されたキーワードや、切り替え検知部で検知された資料の切り替え等のインデックス内容を表示するインデックス欄と、話者認識部や話者位置認識部より特定された話者名が格納される話者欄と、インデックス情報が表示された映像の開始時間を表示する挿入時刻欄とを備える。
【００３１】
以上のような構成の議事録作成支援機能を有するテレビ会議システムにおけるインデックス情報の検出は、音声認識部と、テキスト検出部と、切り替え検知部と、話者認識部で行われる。また、複数の会議参加者が１台のテレビ会議端末５０を使用する場合においては、話者位置認識部でもインデックス情報の検出が行われる。以下にインデックス検出の各動作について、次に説明する。
【００３２】
先ず、音声認識部で行われるインデックスの検出動作について図６を参照して説明する。この音声認識部では、会議参加者の重要発言よりインデックス情報を検出する動作が行われる。具体的には、各テレビ会議端末５０からテレビ会議サーバ１０に送られてくる音声を受信すると（ステップ１００）、ＣＴＩ（Ｃｏｍｐｕｔｅｒ  Ｔｅｌｅｐｈｏｎｙ  Ｉｎｔｅｇｒａｔｉｏｎ）等の公知の分析技術を用いてキーワードデータベース１８に格納されているキーワードとの照合を行い、発話内容の分析を行って発言内容から重要発言となるキーワードを検出し、その検出を制御手段１６が判定して（ステップ１０１）、予め指定されたキーワードが含まれていると判定したとき、テレビ会議管理手段１１にその重要発言を行った発言者とその発言が行われた時間を取得させ（ステップ１０２）、議事録作成サーバ３０に取得したキーワード及び発言者及び発言が行われた時間等の情報を制御手段１６によって送信する（ステップ１０３）。
【００３３】
この音声認識部のインデックスの検出動作において、テレビ会議管理手段１１の発言者の特定は、予めテレビ会議サーバ１０に送られてくるテレビ会議端末５０の端末情報から、テレビ会議端末５０の端末を特定することで発言者の特定を行うこととしてもよく、後述する話者認識部で発言者の声紋から発言者の特定を行うこととしてもよい。
【００３４】
また、テキスト検出部により行われるインデックスの検出動作は、テキスト文章として表示されたテキストデータよりインデックス情報の検出が行われる。具体的には、先ずテキスト検出部において、各テレビ会議端末５０からテレビ会議サーバ１０に送られてくるテキストデータとキーワードデータベース１８に格納されているキーワードとの照合が行われる。ここで重要発言を含むテキスト文章が検出され、その検出を制御手段１６が確認すると、制御手段１６の指示により、テレビ会議管理手段１１にその重要発言を行った発言者とその発言が行われた時間を取得させる。そして議事録作成サーバ３０に取得したキーワード及び発言者，発言が行われた時間等の情報が制御手段１６によって送信される。
【００３５】
また、切り替え検知部で行われるインデックスの検出動作は、特定の発表者若しくは司会者からの会議資料の切り替え指示を検知し、その検知を制御手段１６が確認すると、制御手段１６の指示により、会議資料が切り替えと、切り替え指示を出した会議参加者の名称及び切り替えられた時間がテレビ会議管理手段１１より取得され、議事録作成サーバ３０にそれらの情報が送信される。
【００３６】
次に話者認識部で行われるインデックスの検出動作について説明する。この音声認識部は、会議参加者の重要発言よりインデックス情報を検出するものであって、例えば会議の中心者等の特定の会議参加者の発言を重要発言とみなし、その中心者の声紋を検知してインデックスを検出するため、テレビ会議サーバ１０に送られてくる音声情報を音声ストリーミングにより受信し、話者認識部を用いてその音声情報と声紋データベースに登録されている声紋との照合を行い、話者の識別を行う。次に音声認識部は、話者認識部がインデックス情報を作成する会議参加者の声紋と発言者の声紋の一致を確認したとき、その確認を受けて制御手段１６の指示により、その話者名とその発言が行われた時間をテレビ会議管理手段１１より取得し、議事録作成サーバ３０に送信する。なお、上記検出手段は、特定の会議参加者のみの発言のみをインデックス情報として検出しているが、これに限らず、全ての発言について話者を特定し、インデックスの検出を行ってもよい。
【００３７】
次に、複数の会議参加者が１台のテレビ会議端末５０を使用する場合において、特定の会議参加者を特定してインデックスを検出する場合の処理について図７及び図８を参照して説明する。図７に示すように、複数の会議参加者が会議室でテレビ会議端末５０が使用する場合、音声入力手段として設置したステレオマイク８０とその会議室における会議参加者とその座席位置をマッピングした座席情報を備えた話者位置認識部により、話者の特定を行う。
【００３８】
図８は話者位置認識部によるインデックス検出の動作を示すフローチャートである。このステレオマイク８０及び話者位置認識部により行われるインデックスの検出動作は、先ずステレオマイク８０により会議参加者の発話がテレビ会議の音声ストリーミングにより受信し（ステップ２００）、左右のステレオマイクに入力された音声の位相差を話者位置認識部により検出し（ステップ２０１）、当該位相差から音源の角度を検出し（ステップ２０２）、その音源の角度と話者位置認識部に格納した座席情報とを照合させることにより話者の特定を行い（ステップ２０３）、この特定された話者がインデックスの検出を行う会議参加者であるかの判定を行い（ステップ２０４）、インデックスの検出を行うべき者との認識を制御手段１６が判定したとき、その確認を受けて制御手段１６の指示により、その話者名とその発言が行われた時間がテレビ会議管理手段１１から取得し（ステップ２０５）、議事録作成サーバ３０に送信する（ステップ２０６）。
【００３９】
なお、この複数の会議参加者が１台のテレビ会議端末を使用する場合におけるインデックス検出手段において、ステレオマイクを使用しているが、このステレオマイクに寄らずに、例えば座席の前にマイクを設置し、そのマイクに予め出席者が音声の登録を行い、受信されたマイクの位置より発話者の特定を行うこととしてもよい。
【００４０】
上述のインデックス検出動作により検出されたインデックス情報は、図４で示す如く、受信部３１で受信され、判定処理部３２によって記録部３３に送られる。議事録ファイル作成部３３ｂでは、検出されたインデックス情報に該当する議事録ファイル４０との照合が行われ、例えば図３の如く検出された受信時間を示すタイムコードや発言者名，キーワード等のインデックス情報の入力が行われ、議事録ファイル４０が作成される。そしてその作成された議事録ファイル４０は、議事録データベース３５に格納され、インデックス情報の検出処理が終了する。
【００４１】
前記検出手段により作成された議事録ファイル４０のインデックス情報に基づいて該当部分の会議映像を読み出すことで、簡易の議事録を自動的に作成され、このインデックス情報に基づき任意の重要発言を抽出することができる。また、公知の文字変換プログラムを利用して重要発言部分を文字に変換することにより、紙媒体による議事録も容易に作成することができる。
【００４２】
次に、図９を参照しつつ、議事録ファイル４０を利用した会議映像ファイル閲覧時の動作を説明する。先ず、議事録の閲覧希望者が議事録作成サーバ３０に例えば閲覧希望者が入力した会議名や日時・議題などの検索条件を入力した閲覧要求メッセージを送信すると（ステップ３００）、その閲覧要求メッセージが議事録作成サーバ３０の判定処理部３２によりファイル読込み部３４ａに送られ、そのファイル読込み部３４ａにおいて、閲覧希望者が入力した検索条件に基づき、該当する議事録ファイル４０の検索が行われる（ステップ３０１）。この検索の結果、閲覧希望者が所望する議事録ファイルが検索されると、閲覧希望者の要求に従い、検索された議事録ファイルが議事録データベース３５より出力され（ステップ３０２）、閲覧希望者に送信される（ステップ３０３）。
【００４３】
続いて、議事録ファイル４０を受信した閲覧希望者が議事録ファイル４０を確認し、例えば表示された議事録ファイル４０をクリックするなどして、会議映像要求メッセージを議事録作成サーバ３０が受信すると（ステップ３０４）、その情報は判定処理部３２より映像出力部３４ｂに送られる（ステップ３０５）。そして映像出力部３４ｂにおいて会議映像要求メッセージと共に送られてきたインデックス情報、例えば会議ファイル名やインデックス情報の検出を行ったタイムコード等の情報に基づき、該当する会議映像の出力が行われ（ステップ３０６）、所望の会議映像が配信される（ステップ３０７）。
【００４４】
なお、出力及び配信の方法としては、議事録ファイル４０のインデックスファイル毎に出力することとしてもよく、映像出力部３４ｂより全てのインデックスファイルの映像を出力し、出力された映像の編集を行った後、その編集された映像を配信することとしても良い。
【００４５】
また、議事録ファイル４０の編集を行う場合は、前述の動作工程により会議視聴端末６０に議事録ファイル４０を表示し、議事録ファイル４０の編集を促す。そこで議事録ファイル４０のインデックス情報の追加若しくは削除が行なわれる。
【００４６】
なお、インデックス情報の追加と削除は、例えば会議映像データベースより抽出した会議映像を確認して重要発言と思われる箇所の発言が行われた時間や発言者などの情報を入力する等して新たなインデックスの追加が行われ、会議視聴端末６０の画面上に表示されたインデックス情報のうち、不要なインデックス情報の削除を行うことで追加と削除が行なわれる。
【００４７】
そしてその編集を行った議事録ファイル４０を議事録作成サーバに送信し、議事録作成サーバ３０の議事録編集部３３ｃにおいて議事録ファイル４０の上書きが行われ、上書きされた議事録ファイル４０は議事録データベースに再度格納され、議事録ファイル４０の編集処理が終了する。
【図面の簡単な説明】
【００４８】
【図１】本実施形態に係る議事録作成機能を有するテレビ会議システムの全体の構成を示す構成図である。
【図２】本実施形態におけるキーワードデータベースの構成を示した構成図である。
【図３】本実施形態におけるテレビ会議システムにおけるテレビ会議端末に表示される画面の構成を示す図である。
【図４】本実施形態における議事録作成サーバの構成を示す構成図である。
【図５】本実施形態により作成される議事録ファイルの一例を示す説明図である。
【図６】本実施形態における音声認識部で行われるインデックス情報の検出の動作を説明したフローチャートである。
【図７】複数の会議参加者が会議室でテレビ会議端末５０が使用される場合の説明図である。
【図８】話者位置認識部によるインデックス検出の動作を示すフローチャートである。
【図９】議事録ファイル４０を利用した会議映像ファイル閲覧時の動作を説明するシーケンスチャートである。
【符号の説明】
【００４９】
１０…テレビ会議サーバ，１１…テレビ会議管理手段，１２…多重化手段，１３…データ共有手段，１４…テキスト通信手段，１５…インデックス検出手段，１６…制御手段，１７…参加者情報データベース，１８…キーワードデータベース，３０…議事録作成サーバ，３１…受信部，３２…判定処理部，３３…記録部，３４…配信部，３５…議事録データベース，３６…会議映像データベース，４０…議事録ファイル，５０…テレビ会議端末，５１…表示装置，６０…会議視聴端末，７０…ネットワーク回線，８０…ステレオマイク
【図１】
2005341015.tif 000003
【図２】
2005341015.tif 000004
【図３】
2005341015.tif 000005
【図４】
2005341015.tif 000006
【図５】
2005341015.tif 000007
【図６】
2005341015.tif 000008
【図７】
2005341015.tif 000009
【図８】
2005341015.tif 000010
【図９】
2005341015.tif 000011